(57)【要約】      （修正有）【課題】土壌の膨軟化を実現し、土壌の粘土性が改良されるため、耕地、牧場、果樹園における多年生作物の根系の発育・成長促進に良好な効果を有する振動式土壌改良装置を提供する。【解決手段】トラクター１、懸架装置２、フレーム３、ショックアブソーバー４、振動源５、サブソイラー６、カルダン軸７を含む振動式土壌改良装置であって、トラクターにより牽引される。振動式土壌改良装置の本体にはフレームが設けられており、懸架装置を介してトラクターに連接される。また、スピーディーなサークリップとシャフトピンを用いて固定することから、着脱が非常に容易である。また、振動源の振動によりサブソイラーの操作を制御する。且つ、カルダン軸が振動源に接続されているため、振動の影響を受けることがない。【選択図】図１
0003224288.tif 000002
【実用新案登録請求の範囲】
【請求項１】
トラクター（１）、懸架装置（２）、フレーム（３）、ショックアブソーバー（４）、振動源（５）、サブソイラー（６）、カルダン軸（７）を含む振動式土壌改良装置において、
前記トラクター（１）は先端に位置し、前記トラクター（１）の型番は６５４であり、振動式土壌改良装置の走行駆動力として、前記懸架装置（２）は前記トラクター（１）の背面に連接され、懸架装置（２）の他端がフレーム（３）に連なっており、ユニット間の掛接がスピーディーなサークリップとシャフトピンを用いた固定であって着脱が非常に容易であり、前記フレーム（３）の他端には前記ショックアブソーバー（４）が接続されており、前記振動源（５）はフレーム（３）に固定され、前記サブソイラー（６）は前記振動源（５）の下側に固定され、前記サブソイラー（６）としてＬ字状のものを採用し、且つ、作業時に発生する振動がトラクターの操縦室に伝わらないよう、振動式土壌改良装置にはショックアブソーバーが装備されており、前記カルダン軸（７）は、振動源に接続されて回転することで下方の前記サブソイラー（６）を動作させ、前記振動源（５）の出力軸の回転数は５００ｒ／ｍｉｎであり、振動式土壌改良装置の動作幅は１．８〜２．３ｍであり、振動効率は１．１８ｈｍ２／ｈであることを特徴とする装置。
【請求項２】
前記振動源（５）は振動モータであり、振動モータは、回転子の軸の両端に調節可能偏心ブロックが１つずつ取り付けられており、軸及び偏心ブロックの高速回転により発生する遠心力を利用して加振力を得ることを特徴とする、請求項１に記載の振動式土壌改良装置。
【請求項３】
前記トラクター（１）は先端に位置しており、前記トラクター（１）は、型番６５４の四輪駆動であり、総出力が６５馬力、軸距が２０１０ｍｍであることを特徴とする、請求項１に記載の振動式土壌改良装置。
【請求項４】
前記懸架装置（２）は、ユニット間の掛接がスピーディーなサークリップとシャフトピンを用いた固定となっており、着脱が非常に容易であることを特徴とする、請求項１に記載の振動式土壌改良装置。
【請求項５】
前記ショックアブソーバー（４）は油圧式であり、前記フレーム（３）が前記振動源（５）に対し往復するよう相対運動すると、ピストンがショックアブソーバーのシリンダ内で往復移動することを特徴とする、請求項１に記載の振動式土壌改良装置。
【請求項６】
前記サブソイラー（６）はＬ字状のサブソイラーであり、中央が鑿状ソイラー、両側の２つがそれぞれＬ字状ソイラーとなっており且つ、Ｌ字状ソイラーの先端がいずれも内側を向いていることを特徴とする、請求項１に記載の振動式土壌改良装置。
【考案の詳細な説明】
【技術分野】
【０００１】
本考案は土壌改良装置に関し、より具体的には、振動式土壌改良装置に関する。
【背景技術】
【０００２】
一般的に、土壌改良作業は、各地の自然条件や経済条件に基づいて、確実に実行可能な計画をその地に適するよう制定し、一つずつ実施することで、土壌生産性及び環境条件を効果的に改善するとの目的を達成する。土性が砂又は粘土に過度に偏っている場合には作物の成長に不利となるため、相応の改良対策をとる必要がある。求められる土壌条件は作物の違いによって大きく異なり、例えば、落花生やスイカは温暖を好むため、砂質土壌での植栽に適している。これは各種作物の生物学的特性により決定される。現在のところ、中国の耕地のうち、耕土が砂又は粘土に過度に偏っていることから改良を要する面積は０．０６７億〜０．１３３億ｈｍ２に及ぶ。土壌の耕土が砂又は粘土に過度に偏っている、砂混じり・粘土混じりである、全体が砂である、全体が粘土である等の土壌構成では、作物が求める水や肥料、空気、熱をバランスよく供給することは不可能であり、改良の必要がある。また、改良の手段及び対策については、その地に適した方法をとり、現地で材料を調達するとともに、順を追って徐々に進めねばならない。そこで、このような課題を解決可能な振動式土壌改良装置を提供する。
【考案の概要】
【考案が解決しようとする課題】
【０００３】
本考案が解決しようとする技術的課題は、耕起、暗渠排水の施工、果樹の根切り、及び、根菜類や漢方薬の収穫といった作業を完了可能とすることである。これによれば、土壌改良、粘土質土壌における耕作、傾斜耕地の保水・保温、及び、牧場や果樹園における多年生作物の根系の発育・成長促進に良好な効果を有する。本考案は、振動式土壌改良機を提供する。
【課題を解決するための手段】
【０００４】
上記の技術的課題を解決すべく、本考案は以下の技術方案を提供する。
【０００５】
本考案は、トラクター、懸架装置、フレーム、ショックアブソーバー、振動源、サブソイラー、カルダン軸を含む振動式土壌改良装置を提供する。前記トラクターは先端に位置し、前記トラクターの型番は６５４であり、振動式土壌改良装置の走行駆動力として、前記懸架装置は前記トラクターの背面に連接され、懸架装置の他端がフレームに連なっており、ユニット間の掛接がスピーディーなサークリップとシャフトピンを用いた固定であって着脱が非常に容易であり、前記フレームの他端には前記ショックアブソーバーが接続されており、前記振動源はフレームに固定され、前記サブソイラーは前記振動源の下側に固定され、前記サブソイラーとしてＬ字状のものを採用し、且つ、作業時に発生する振動がトラクターの操縦室に伝わらないよう、振動式土壌改良装置にはショックアブソーバーが装備されており、前記カルダン軸は、振動源に接続されて回転することで下方の前記サブソイラーを動作させ、前記振動源の出力軸の回転数は５００ｒ／ｍｉｎであり、振動式土壌改良装置の動作幅は１．８〜２．３ｍであり、振動効率は１．１８ｈｍ２／ｈである。
【０００６】
本考案の好ましい技術方案として、前記振動源は振動モータであり、振動モータは、回転子の軸の両端に調節可能偏心ブロックが１つずつ取り付けられており、軸及び偏心ブロックの高速回転により発生する遠心力を利用して加振力を得る。
【０００７】
本考案の好ましい技術方案として、前記トラクターは先端に位置しており、前記トラクターは、型番６５４の四輪駆動であり、総出力が６５馬力、軸距が２０１０ｍｍである。
【０００８】
本考案の好ましい技術方案として、前記懸架装置は、ユニット間の掛接がスピーディーなサークリップとシャフトピンを用いた固定となっており、着脱が非常に容易である。
【０００９】
本考案の好ましい技術方案として、前記ショックアブソーバーは油圧式であり、前記フレームが前記振動源に対し往復するよう相対運動すると、ピストンがショックアブソーバーのシリンダ内で往復移動する。
【００１０】
本考案の好ましい技術方案として、前記サブソイラーはＬ字状のサブソイラーであり、中央が鑿状ソイラー、両側の２つがそれぞれＬ字状ソイラーとなっており且つ、Ｌ字状ソイラーの先端がいずれも内側を向いている。
【考案の効果】
【００１１】
本考案によれば、以下の有益な効果が奏される。即ち、当該装置は振動式土壌改良装置であって、ユニット間の掛接をスピーディーなサークリップとシャフトピンを用いた固定としているため、着脱が非常に容易である。また、カルダン軸が動力に接続されているため、振動の影響を受けることがなく、伝動が確実である。また、ギヤ伝動式の振動源は、伝動効率が高く、体積が小さく、振幅が小さく、振動力が大きく、心土破砕効果が良好である。また、ショックアブソーバーの働きによって振動は操縦室に伝わらないため、運転手が疲労を感じることはない。また、Ｌ字状サブソイラーを採用しているため、製造工程が簡略化されるとともに、鋼材や部品の消費及び製造コストが大幅に低減し、更には土壌の抵抗力も低下させられる。また、土壌の表層以下７０ｃｍの層すべてを膨軟にすることで大型の間隙が大幅に増加するため、作物の根系の発達が促進されるとともに、土壌の透水性と通気性が改善される。本考案は構造がシンプルで、設計が合理的なことから、普及が容易である。
【００１２】
図面は本考案の更なる理解を促すものである。かつ、明細書の一部を構成しており、本考案の実施例とともに本考案を説明するために用いられるが、本考案を制限するものではない。
【図面の簡単な説明】
【００１３】
【図１】本考案の全体構造を示す図である。
【考案を実施するための形態】
【００１４】
以下に、図面を組み合わせて、本考案の好ましい実施例につき説明する。ただし、ここで記載する好ましい実施例は本考案を説明及び解釈するためのものにすぎず、本考案を制限するものではない。
【実施例１】
【００１５】
図１に示すように、本考案は、トラクター１、懸架装置２、フレーム３、ショックアブソーバー４、振動源５、サブソイラー６、カルダン軸７を含む振動式土壌改良装置を提供する。当該振動式土壌改良装置は、その特徴として、トラクター１が先端に位置する。また、トラクター１の型番は６５４である。振動式土壌改良装置の走行駆動力として、懸架装置２はトラクター１の背面に連接され、懸架装置２の他端がフレーム３に連なっている。ユニット間の掛接はスピーディーなサークリップとシャフトピンを用いた固定としており、着脱が非常に容易である。フレーム３の他端にはショックアブソーバー４が接続されている。また、振動源５はフレーム３に固定されており、サブソイラー６が振動源５の下側に固定されている。サブソイラー６としてはＬ字状のものを採用する。振動式土壌改良装置にはショックアブソーバーが装備されているため、作業時に発生する振動がトラクターの操縦室に伝わることがない。また、カルダン軸７は振動源に接続されて回転することで、下方のサブソイラー６を動作させる。振動源５の出力軸の回転数は５００ｒ／ｍｉｎである。振動式土壌改良装置の動作幅は１．８〜２．３ｍであり、振動効率は１．１８ｈｍ２／ｈである。
【００１６】
振動源は振動モータである。振動モータは、回転子の軸の両端に調節可能偏心ブロックが１つずつ取り付けられており、軸及び偏心ブロックの高速回転により発生する遠心力を利用して加振力を得る。
【００１７】
トラクター１は先端に位置している。前記トラクター１は、型番６５４の四輪駆動であり、総出力が６５馬力、軸距が２０１０ｍｍである。
【００１８】
懸架装置２は、ユニット間の掛接がスピーディーなサークリップとシャフトピンを用いた固定となっているため、着脱が非常に容易である。
【００１９】
ショックアブソーバー４は油圧式とする。フレーム３が振動源５に対し往復するよう相対運動すると、ピストンがショックアブソーバーのシリンダ内で往復移動する。
【００２０】
サブソイラー６はＬ字状のサブソイラーであり、中央が鑿状ソイラー、両側の２つがそれぞれＬ字状ソイラーとなっている。且つ、Ｌ字状ソイラーの先端はいずれも内側を向いている。
【００２１】
具体的に動作する際には、トラクター１が前方へと走行し、振動源５を起動することで下方のサブソイラー６が振動を開始する。サブソイラー６は牽引により前進しつつ、振動源５により振動することで耕起し、耕起を完了させることができる。カルダン軸７は動力に接続されており、振動の影響を受けることがない。
【００２２】
本考案によれば、以下の有益な効果が奏される。即ち、当該装置は振動式土壌改良装置であって、ユニット間の掛接をスピーディーなサークリップとシャフトピンを用いた固定としているため、着脱が非常に容易である。また、カルダン軸が動力に接続されているため、振動の影響を受けることがなく、伝動が確実である。また、ギヤ伝動式の振動源は、伝動効率が高く、体積が小さく、振幅が小さく、振動力が大きく、心土破砕効果が良好である。また、ショックアブソーバーの働きによって振動は操縦室に伝わらないため、運転手が疲労を感じることはない。また、Ｌ字状サブソイラーを採用しているため、製造工程が簡略化されるとともに、鋼材や部品の消費及び製造コストが大幅に低減し、更には土壌の抵抗力も低下させられる。また、土壌の表層以下７０ｃｍの層すべてを膨軟にすることで大型の間隙が大幅に増加するため、作物の根系の発達が促進されるとともに、土壌の透水性と通気性が改善される。本考案は構造がシンプルで、設計が合理的なことから、普及が容易である。
【００２３】
最後に、以上は本考案の好ましい実施例にすぎず、本考案を制限するものではない。また、上記の実施例を参照して本考案につき詳細に説明したが、当業者であれば、上記の各実施例に記載される技術方案の修正或いは一部技術的特徴の等価の置き換えも可能である。本考案の精神及び原則の範囲内で実施されるあらゆる修正、等価の置き換え、改良等は、いずれも本考案による保護の範囲に含まれる。
【符号の説明】
【００２４】
１  トラクター
２  懸架装置
３  フレーム
４  ショックアブソーバー
５  振動源
６  サブソイラー
７  カルダン軸
【図１】
0003224288.tif 000003
【手続補正書】
【提出日】令和1年10月15日(2019.10.15)
【手続補正１】
【補正対象書類名】実用新案登録請求の範囲
【補正対象項目名】全文
【補正方法】変更
【補正の内容】
【実用新案登録請求の範囲】
【請求項１】
トラクター（１）、懸架装置（２）、フレーム（３）、ショックアブソーバー（４）、振動源（５）、サブソイラー（６）、カルダン軸（７）を含む振動式土壌改良装置において、
前記トラクター（１）は先端に位置し、前記トラクター（１）は振動式土壌改良装置の走行駆動力であり、前記懸架装置（２）は前記トラクター（１）の背面に連接され、懸架装置（２）の他端がフレーム（３）に連なっており、ユニット間の掛接がスピーディーなサークリップとシャフトピンを用いた固定であって着脱が非常に容易であり、前記フレーム（３）の他端には前記ショックアブソーバー（４）が接続されており、前記振動源（５）はフレーム（３）に固定され、前記サブソイラー（６）は前記振動源（５）の下側に固定され、前記サブソイラー（６）としてＬ字状のものを採用し、且つ、作業時に発生する振動がトラクターの操縦室に伝わらないよう、振動式土壌改良装置にはショックアブソーバーが装備されており、前記カルダン軸（７）は、振動源に接続されて回転することで下方の前記サブソイラー（６）を動作させ、前記振動源（５）の出力軸の回転数は５００ｒ／ｍｉｎであり、振動式土壌改良装置の動作幅は１．８〜２．３ｍであり、振動効率は１．１８ｈｍ２／ｈであることを特徴とする装置。
【請求項２】
前記振動源（５）は振動モータであり、振動モータは、回転子の軸の両端に調節可能偏心ブロックが１つずつ取り付けられており、軸及び偏心ブロックの高速回転により発生する遠心力を利用して加振力を得ることを特徴とする、請求項１に記載の振動式土壌改良装置。
【請求項３】
前記トラクター（１）は先端に位置しており、前記トラクター（１）は、四輪駆動であり、総出力が６５馬力、軸距が２０１０ｍｍであることを特徴とする、請求項１に記載の振動式土壌改良装置。
【請求項４】
前記懸架装置（２）は、ユニット間の掛接がスピーディーなサークリップとシャフトピンを用いた固定となっており、着脱が非常に容易であることを特徴とする、請求項１に記載の振動式土壌改良装置。
【請求項５】
前記ショックアブソーバー（４）は油圧式であり、前記フレーム（３）が前記振動源（５）に対し往復するよう相対運動すると、ピストンがショックアブソーバーのシリンダ内で往復移動することを特徴とする、請求項１に記載の振動式土壌改良装置。
【請求項６】
前記サブソイラー（６）はＬ字状のサブソイラーであり、中央が鑿状ソイラー、両側の２つがそれぞれＬ字状ソイラーとなっており且つ、Ｌ字状ソイラーの先端がいずれも内側を向いていることを特徴とする、請求項１に記載の振動式土壌改良装置。